(57)【要約】【課題】軽量であり且つ十分な厚みを有した地盤補強構造体を提供する。【解決手段】地盤補強構造体１は、第１の樹脂ネット３Ａと第２の樹脂ネット３Ｂとを重ね合わせて編み組みしてなる編組体２と、該編組体２の樹脂ネット３Ａ，３Ｂ間に充填された破砕ゴム片４とからなる。【選択図】図２
2006090077.tif 000002
【特許請求の範囲】
【請求項１】
第１の樹脂ネットと第２の樹脂ネットとを重ね合わせて編み組みしてなる編組体と、
該編組体の樹脂ネット間に充填された破砕ゴム片と
を備えてなる地盤補強構造体。
【請求項２】
請求項１において、該樹脂ネットは、長尺の樹脂シートに、長手方向及び幅方向に規則的に配列された多数の穴部を形成し、該樹脂シートの長手方向樹脂部を該長手方向に延伸し、該穴部を該長手方向に延在する長穴状としてなるものであることを特徴とする地盤補強構造体。
【請求項３】
請求項２において、該樹脂シートの幅方向樹脂部に凸部が設けられていることを特徴とする地盤補強構造体。
【請求項４】
請求項２又は３において、前記第２の樹脂ネットの一方の側に配置された第１の樹脂ネットの長手方向樹脂部の一部を第２の樹脂ネットの穴部を通して第２の樹脂ネットの反対側に押し込み、この押し込まれた第１の樹脂ネットの長手方向樹脂部と、第２の樹脂ネットの長手方向樹脂部との間に結束用線状体を挿通することにより、第１の樹脂ネットと第２の樹脂ネットとが編み組みされていることを特徴とする地盤補強構造体。
【請求項５】
請求項２ないし４のいずれか１項において、前記樹脂シートは超高分子量ポリエチレン樹脂シートであることを特徴とする地盤補強構造体。
【請求項６】
請求項５において、該超高分子量ポリエチレンの分子量は１０００〜１０００万であることを特徴とする地盤補強構造体。
【請求項７】
請求項１ないし６のいずれか１項において、前記破砕ゴム片は廃タイヤの破砕ゴム片であることを特徴とする地盤補強構造体。
【発明の詳細な説明】
【技術分野】
【０００１】
本発明は、地盤を補強するために該地盤中に埋設される地盤補強構造体に関する。
【背景技術】
【０００２】
地盤中に樹脂ネットや土嚢を埋設して地盤を補強する工法が広く行われている。
【０００３】
特開２００１−３２９５４０号公報には、この地盤補強用樹脂ネットとして、ネットの樹脂部分にスパイク状の凸部及び凹部が設けられたものが記載されている。同号公報の樹脂ネットにあっては、この凸部及び凹部の楔効果によってネットの土への喰い付き力が向上し、より強固に地盤を補強することが可能となる。
【０００４】
土嚢は、その優れた機能性（制振性、施工の容易さ、コストの低さ等）により、近年、地中（根切り部等）に充填される捨てコンクリート等に代わる地盤補強構造体として注目されている。
【特許文献１】特開２００１−３２９５４０号公報
【発明の開示】
【発明が解決しようとする課題】
【０００５】
樹脂ネットは、比較的軽量であり、運搬時や設置時の取り扱い性に優れているが、厚みが小さいため、地中に充填される地盤補強構造体としては不向きである。
【０００６】
一方、土嚢は比較的厚みが大きく、地中に充填される地盤補強構造体として好適であるが、重量があるため、運搬時等の取り扱い性に劣る。
【０００７】
本発明は、軽量であり且つ十分な厚みを有した地盤補強構造体を提供することを目的とする。
【課題を解決するための手段】
【０００８】
本発明の地盤補強構造体は、第１の樹脂ネットと第２の樹脂ネットとを重ね合わせて編み組みしてなる編組体と、該編組体の樹脂ネット間に充填された破砕ゴム片とを備えてなるものである。
【発明の効果】
【０００９】
本発明の地盤補強構造体にあっては、編組体の第１の樹脂ネットと第２の樹脂ネットとの間に破砕ゴム片が充填されているため、厚みがあり、根切り部等の地中に充填される地盤補強構造体として好適である。また、この地盤補強構造体は主として樹脂とゴムから構成されているため、比較的軽量であり、運搬や据付け等の作業を楽に行うことができる。
【００１０】
さらに、本発明の地盤補強構造体は、編組体に充填された破砕ゴム片の弾力性により、振動吸収性に優れている。しかも、各樹脂ネットの網目開口と破砕ゴム片相互の間隙とを通して透水性も確保される。
【００１１】
請求項２の地盤補強構造体にあっては、樹脂ネットの樹脂部の引張強度が向上し、丈夫な編組体が構成される。
【００１２】
請求項３の地盤補強構造体にあっては、樹脂ネットに設けられた凸部が地盤に食い込み、地盤補強構造体がしっかりと固定される。
【００１３】
請求項４の地盤補強構造体にあっては、第１の樹脂ネットと第２の樹脂ネットとをきわめて簡単に編み組みすることができる。
【００１４】
この樹脂ネットは、超高分子量ポリエチレン樹脂シートよりなることが好ましい（請求項５）。
【００１５】
この場合、該超高分子量ポリエチレンの分子量は１０００〜１０００万であることが好ましい（請求項６）。
【００１６】
破砕ゴム片として廃タイヤの破砕ゴム片を用いること（請求項７）により、廃タイヤを有効利用することができる。
【発明を実施するための最良の形態】
【００１７】
以下に、図面を参照して本発明の実施の形態について説明する。第１図は実施の形態に係る地盤補強構造体の斜視図であり、第２図は第１図のII−II線に沿う断面図である。
【００１８】
この地盤補強構造体１は、第１の樹脂ネット３Ａと第２の樹脂ネット３Ｂとを重ね合わせて編み組みしてなる編組体２と、該編組体２の樹脂ネット３Ａ，３Ｂ間に充填された破砕ゴム片４とからなる。
【００１９】
この実施の形態では、第１の樹脂ネット３Ａと第２の樹脂ネット３Ｂとは同一の樹脂ネットよりなる。該樹脂ネット３Ａ，３Ｂは、この実施の形態では、以下の手順により製作される。
【００２０】
まず、長尺帯状の樹脂シートに、プレス（打ち抜き）加工等により、その長手方向及び幅方向に規則的に配列された多数の穴部（開口）３ａを形成する。また、この実施の形態では、この穴あき樹脂シートの幅方向に延在する各樹脂部（幅方向樹脂部）３ｂに、該プレス加工等により、スパイク状の凸部３ｃを形成する。
【００２１】
次に、この樹脂シートを延伸可能な温度まで加温する。次いで、この樹脂シートをピンチローラ等で長手方向に引っ張り、該長手方向に延在する各樹脂部（長手方向樹脂部）３ｄを延伸させる。
【００２２】
その後、この樹脂シートを必要に応じ所定長さ及び所定幅に裁断し、２枚の樹脂ネット３Ａ，３Ｂを形成する。
【００２３】
この樹脂シートは、超高分子量ポリエチレン樹脂シートであることが好ましい。この場合、該超高分子量ポリエチレンの分子量は、１０００〜１０００万、とりわけ１０万〜４０万であることが好ましい。また、この超高分子量ポリエチレンは、密度が０．９以上であることが好ましく、さらに、１分子当たり０．３個のブチル基の側鎖を有したものであることが好ましい。
【００２４】
この超高分子量ポリエチレン樹脂シートの長手方向樹脂部３ｄの延伸量は、延伸前の５倍以上であることが好ましい。この延伸量が５倍以下であると、該長手方向樹脂部３ｄの引張強度が不足する。
【００２５】
第１樹脂ネット３Ａと第２樹脂ネット３Ｂとは、第２図に示すように、まず、凸部３ｃが設けられていない側の面を向かい合わせにして重ね合わされ、次いで、該第１の樹脂ネット３Ａの長手方向樹脂部３ｄの途中部が第２の樹脂ネット３Ｂの穴部３ａを通して該第２の樹脂ネット３Ｂの表側へ押し込まれ、その後、この押し込まれた第１の樹脂ネット３Ａの長手方向樹脂部３ｄと第２の樹脂ネット３Ｂの長手方向樹脂部３ｄとの間に結束用線状体５が挿通されることにより、編み組みされている。
【００２６】
なお、この実施の形態では、第１の樹脂ネット３Ａと第２の樹脂ネット３Ｂとは所定の間隔をおいて複数箇所にてそれぞれ該線状体５によって結束されている。これにより、編組体２の内部は、図示の通り複数の室に区画されており、各室にそれぞれ破砕ゴム片４が充填されている。
【００２７】
この結束用線状体５は、金属や樹脂等の種々の材質より構成される。
【００２８】
この実施の形態では、破砕ゴム片４は、廃タイヤの破砕ゴム片である。この廃タイヤ破砕ゴム片は、廃タイヤを機械的な処理により破砕したものである。
【００２９】
かかる構成の地盤補強構造体１にあっては、編組体２の第１の樹脂ネット３Ａと第２の樹脂ネット３Ｂとの間に破砕ゴム片４が充填されているため、厚みがあり、根切り部等の地中に充填される地盤補強構造体として好適である。また、この地盤補強構造体１は主として樹脂とゴムとから構成されているため、比較的軽量であり、運搬や据付け等の作業を楽に行うことができる。
【００３０】
さらに、この地盤補強構造体は、編組体２に充填された破砕ゴム片４の弾力性により、振動吸収性に優れている。しかも、各樹脂ネット３Ａ，３Ｂの網目開口と、破砕ゴム片４同士の間隙とを通して透水性も確保される。
【００３１】
この実施の形態では、破砕ゴム片４として廃タイヤの破砕ゴム片を用いているので、廃タイヤを有効利用することができる。
【００３２】
上記の実施の形態は本発明の一例を示すものであり、本発明は上記の実施の形態に限定されるものではない。
【００３３】
例えば、この実施の形態では、長手方向樹脂部３ｄのみを延伸させてなる樹脂ネット３Ａ，３Ｂを用いているが、幅方向樹脂部も延伸させた樹脂ネットを用いてもよい。
【００３４】
この実施の形態では結束用線状体５を用いて第１の樹脂ネット３Ａと第２の樹脂ネット３Ｂとを編み組みしているが、両者の樹脂部同士を接着や溶着等により結合して編組体としてもよい。
【００３５】
編組体２内に充填される破砕ゴム片４として廃タイヤ以外の破砕ゴム片を用いてもよい。破砕ゴム片４は、単なる集合体として編組体２に充填されてもよく、予め相互に結合されていてもよい。
【図面の簡単な説明】
【００３６】
【図１】実施の形態に係る地盤補強構造体の斜視図である。
【図２】図１のII−II線に沿う断面図である。
【符号の説明】
【００３７】
１  地盤補強構造体
２  編組体
３Ａ  第１の樹脂ネット
３Ｂ  第２の樹脂ネット
３ａ  穴部
３ｂ，３ｄ  樹脂部
３ｃ  凸部
４  破砕ゴム片
５  結束用線状体
【図１】
2006090077.tif 000003
【図２】
2006090077.tif 000004